(57)【要約】【課題】本実施形態は、例えばニュースや一般市民により話題になっている番組を、容易に検索して表示ができる、電子機器、方法及びプログラムを提供する。【解決手段】この実施形態は、通信制御部が、第１コンテンツに関してサーバ上に投稿される第１コメントと、第２コンテンツに関してサーバ上に投稿される第２コメントと、を受信する。表示制御部が、前記第１コメントと、前記第１コンテンツの処理を実行可能な第１ボタンと、前記第２コメントと、前記第２コンテンツの処理を実行可能な第２ボタンと、を表示する。前記第１ボタンにより録画済みの前記第１コンテンツの再生が可能である状態の中で、前記第２コンテンツが現在放送中で、かつ前記第２コンテンツの第１チャンネルと視聴中のチャンネルが相異する場合に、前記第２ボタンにより、前記第１チャンネルへ切り替え可能である。【選択図】図９
2015115802.tif 000002
【特許請求の範囲】
【請求項１】
第１コンテンツに関してサーバ上に投稿される第１コメントと、第２コンテンツに関してサーバ上に投稿される第２コメントと、を受信する通信制御部と、
前記第１コメントと、前記第１コンテンツに関する処理を実行可能な第１ボタンと、前記第２コメントと、前記第２コンテンツに関する処理を実行可能な第２ボタンと、を表示するための表示制御部と、を具備し、
前記第１コンテンツが録画済みである場合、前記第１ボタンにより、前記第１コンテンツの再生が可能であって、
前記第２コンテンツが現在放送中である場合、前記第２コンテンツの第１チャンネルと視聴中のチャンネルが相異する場合に、前記第２ボタンにより、前記第１チャンネルへ切り替え可能であって、
前記第１ボタンの表示形態と、前記第２ボタンの表示形態とは相異する電子機器。
【請求項２】
前記第１コメントが前記第１コンテンツの第１時刻に関連付けられているか、または、前記第２コメントが前記第２コンテンツの第２時刻に関連付けられている場合に、前記第１ボタンにより前記１コンテンツの前記第１時刻からの視聴が可能であるか、前記第２ボタンにより前記２コンテンツの前記第２時刻からの視聴が可能である請求項１に記載の電子機器。
【請求項３】
前記第１時刻は、前記第１コメントの投稿時刻に従って定められるものであって、
前記第２時刻は、前記第２コメントの投稿時刻に従って定められるものである請求項２記載の電子機器。
【請求項４】
前記第１コンテンツに関してサーバ上に投稿される第１コメントが複数あり、
前記表示制御部は、前記第１コンテンツを再生する場合、前記第１コンテンツとともに、複数の第１コメントを同時に表示可能である、
請求項１に記載の電子機器。
【請求項５】
前記表示制御部は、前記複数の第１コメントのうちのいずれかの選択に応じて、前記第１コンテンツの再生位置を変更して再生する請求項４に記載の電子機器。
【請求項６】
複数のコンテンツを記憶媒体に記録する記録制御部をさらに備え、
前記記録制御部は、前記記憶媒体の記憶容量の空きを増大させるために、前記記憶媒体に既に記録された１以上のコンテンツを自動削除可能であって、
前記第１コメントと前記第２コメントとに応じて、前記第１コンテンツ又は前記第２コンテンツのどちらを優先的に削除するかを決定可能である請求項１に記載の電子機器。
【請求項７】
第１コンテンツに関してサーバ上に投稿される第１コメントと、第２コンテンツに関してサーバ上に投稿される第２コメントと、を受信することと、
前記第１コメントと、前記第１コンテンツに関する処理を実行可能な第１ボタンと、前記第２コメントと、前記第２コンテンツに関する処理を実行可能な第２ボタンと、を表示することと、を具備し、
前記第１コンテンツが録画済みである場合、前記第１ボタンにより、前記第１コンテンツの再生が可能であることと、
前記第２コンテンツが現在放送中である場合、前記第２コンテンツの第１チャンネルと視聴中のチャンネルが相異する場合に、前記第２ボタンにより、前記第１チャンネルへ切り替え可能であることと、を備え、
前記第１ボタンの表示形態と、前記第２ボタンの表示形態とは相異する方法。
【請求項８】
前記第１コメントが前記第１コンテンツの第１時刻に関連付けられているか、または、前記第２コメントが前記第２コンテンツの第２時刻に関連付けられている場合に、前記第１ボタンにより前記１コンテンツの前記第１時刻からの視聴が可能であるか、前記第２ボタンにより前記２コンテンツの前記第２時刻からの視聴が可能であることを備える請求項７記載の方法。
【請求項９】
前記第１時刻は、前記第１コメントの投稿時刻に従って定められるものであって、
前記第２時刻は、前記第２コメントの投稿時刻に従って定められるものである請求項８記載の方法。
【請求項１０】
前記第１コンテンツに関してサーバ上に投稿される第１コメントが複数あり、
前記第１コンテンツを再生する場合、前記第１コンテンツとともに、複数の第１コメントを同時に表示可能である請求項７記載の方法。
【請求項１１】
前記複数の第１コメントのうちのいずれかの選択に応じて、前記第１コンテンツの再生位置を変更して再生する請求項７記載の方法。
【請求項１２】
複数のコンテンツを記憶媒体に記録することさらに備え、
前記記憶媒体の記憶容量の空きを増大させるために、前記記憶媒体に既に記録された１以上のコンテンツを自動削除可能であって、
前記第１コメントと前記第２コメントとに応じて、前記第１コンテンツ又は前記第２コンテンツのどちらを優先的に削除するかを決定可能であることを備える、請求項７記載の方法。
【請求項１３】
複数のチューナを有する電子機器において入力されたコメントに関連した番組を前記サブ容量を形成する領域に格納することを備える請求項１２記載の方法。
【請求項１４】
コンピュータ読み取り可能な記録媒体であって、プログラムを記録され、コンピュータを動作させるためにそのプログラムによる命令が、
第１コンテンツに関してサーバ上に投稿される第１コメントと、第２コンテンツに関してサーバ上に投稿される第２コメントと、を受信を実行させる命令と、
前記第１コメントと、前記第１コンテンツに関する処理を実行可能な第１ボタンと、前記第２コメントと、前記第２コンテンツに関する処理を実行可能な第２ボタンと、を表示を実行させる命令と、を具備し、
前記第１コンテンツが録画済みである場合、前記第１ボタンにより、前記第１コンテンツの再生を実行させる命令と、
前記第２コンテンツが現在放送中である場合、前記第２コンテンツの第１チャンネルと視聴中のチャンネルが相異する場合に、前記第２ボタンにより、前記第１チャンネルへ切り替えを実行させる命令と、を備え、
前記第１ボタンの表示形態と、前記第２ボタンの表示形態とは相異する
コンピュータ読み取り可能な記録媒体。
【発明の詳細な説明】
【技術分野】
【０００１】
この実施形態は電子機器、方法及びコンピュータ読み取り可能な記録媒体に関する。
【背景技術】
【０００２】
近年、インターネット接続が可能なテレビジョン受信機（以下電子機器と称する）が普及している。また電子機器は、大容量の記録再生装置を内蔵若しくは外部接続されることが可能である。この記録再生装置は、複数の放送番組を自動記録することができる。
【先行技術文献】
【特許文献】
【０００３】
【特許文献１】特開２０１３−１５０２２１号公報
【発明の概要】
【発明が解決しようとする課題】
【０００４】
電子機器として、異なるチャンネルの放送番組を同時に受信する複数のチューナを有するものがある。複数のチューナ（例えば６つのチューナ）で受信された複数の放送番組は、それぞれデコードされた後、記録再生装置（ハードディスクドライブ、光ディスク記録再生装置など）に格納されることができる。したがって、記録再生装置の記録媒体には、数多くの番組が記録される。しかし、記録媒体の記録容量は有限である。このために、記録再生装置には、例えば最大１週間、或いは最大２週間より以前に記録されている番組データを自動的に消去する、自動消去機能が設けられる。
【０００５】
一方、ユーザは、視聴したい所望の番組がある場合、記録再生装置に記録されている数多くの番組の中から所望の番組を検索しなければならない。しかし、記録再生装置にて記録されている番組数は、非常に多いために、ユーザは、所望の番組を検索する場合、煩わしい思いをしている。
【０００６】
本実施形態は、上記の事情に鑑みて、例えばニュースや一般市民により話題になっている番組を、容易に検索して表示させることができ、電子機器、方法及びコンピュータ読み取り可能な記録媒体を提供することを目的とする。
【課題を解決するための手段】
【０００７】
一実施形態によれば、それぞれの内容が番組に関連しておりネットワーク上のサーバに投稿されている複数のコメントを取得する通信制御部と、取得した前記複数のコメントを表示のために配列することができるコメント処理部と、前記配列された各コメントに対して、表示用の選択ボタンを合成するボタン合成部とを基本的に有する。ここで選択ボタンは当該コメントに対応する番組の再生に移行するためのボタンである。
【図面の簡単な説明】
【０００８】
【図１】実施形態が適用された電子機器において、複数番組用のコメントテーブルのコメントが表示された様子と、電子機器のネットワーク接続状態を示す代表的な図である。
【図２】実施形態が適用された電子機器において、同一番組用のコメントテーブルのコメントが表示された様子と、電子機器のネットワーク接続状態を示す代表的な図である。
【図３】実施形態が適用された電子機器において、同一番組用のコメントテーブルのコメントが表示された他の様子を示す代表的な図である。
【図４】コメントに合成すべきボタンを決定するために利用されるボタン種別判断テーブルの代表的な例を示す図である。
【図５】コメントに合成されたボタンが選択されたときに、参照されるボタン情報（ボタンに関連しているデータ）テーブルの代表的な例を示す図である。
【図６】実施形態が適用された電子機器が、図１或いは図２のコメントを表示するときの動作例を示す代表的なフローチャートである。
【図７】実施形態が適用された電子機器において、チャンネル切替えボタンが選択されたときの動作を示す代表的なフローチャートである。
【図８】実施形態が適用された電子機器において、番組再生ボタンが選択されたときの動作を示す代表的なフローチャートである。
【図９】実施形態が適用された電子機器の代表的な構成例を示す図である。
【発明を実施するための形態】
【０００９】
以下、実施の形態について図面を参照して説明する。図１は、実施形態に係る電子機器１０００（例えば電子機器、パーソナルコンピュータ、或いはディスクトップコンピュータディスプレイ）であり、その状態は携帯端末２０００により操作されることができる。携帯端末２０００は、リモートコントローラ２００１、スマートフォーン２００２などを含む。
【００１０】
電子機器１０００は、放送局からの電波、或いはケーブルからの高周波を受信し、放送番組やビデオオンデマンドによる番組の再生を行うことができるし、または記録再生装置に対して取得した番組を記録することができる。
【００１１】
また電子機器１０００は、ネットワーク５０００を介してサービスサーバ４０００と通信を行うことができる。ネットワーク５０００及びサービスサーバ４０００などを含む通信系統は、ソーシャルネットワークシステム（ＳＮＳ）と称される。ＳＮＳは、種々の名称の通信業者のサーバと接続されることができる。
【００１２】
ＳＮＳの種類としてFacebook (登録商標）,Twitter (登録商標）などがある。またＳＮＳはビデオオンデマンド（ＶＯＤ）の通信時のワードを通じて取得されるコメントであってもよい。
【００１３】
図の電子機器１０００の画面は、例えば携帯端末２０００の特定のボタン（例えばＳＮＳと表記されたボタン）を押したときの表示状態の代表的な例を示している。
【００１４】
電子機器１０００の画面において、左上の領域には、例えば、現在受信中で再生のために選択された番組１００１、または記録再生装置から再生している番組１００１が表示されることができる。
【００１５】
電子機器１０００の画面において、右側の領域には、複数のコメント１０２１−１０２４が配列されて表示されている。図面では４つのコメント欄が存在するが、スクロール操作によりさらに多数のコメントを表示することができる。
【００１６】
さらに複数のコメント１０２１−１０２４には、選択ボタン１０３１−１０３４が合成されている。選択ボタン１０３１−１０３４は、それぞれ、電子機器１０００に対して、対応するコメント及び番組の再生指示を与えるためのボタンである。例えば、携帯端末２０００により、選択ボタン１０３１が選択されて、決定操作がなされると、電子機器１０００は、コメント１０２１に関連する番組の再生状態に移行する（この場合チャンネル切替えに基づき番組の再生状態に移行する）。
【００１７】
上記のコメントは、電子機器１０００がネットワーク５０００を介してサービスサーバ４０００から取得したものである。電子機器１０００は、それぞれのコメントに付随しているデータを解析し、それぞれのコメントに適切な選択ボタンを決定し、決定した選択ボタンを対応するコメントに合成する。
【００１８】
また電子機器１０００の画面において、例えば左下の領域には、表示するコメントの種類を選択するための選択ボタン１０１１−１０１４が表示されている。また言語選択ボタン１０１５も表示されている。
【００１９】
「全コメント」の選択ボタン１０１１は、ＳＮＳから取得した全てのコメントを表示するためのボタンである。「記録番組のコメント」選択ボタン１０１２は、ＳＮＳから取得したコメントであるが、記録再生装置に記録されている番組に関するコメントを表示するためのボタンである。「放送予定番組のコメント」選択ボタン１０１３は、ＳＮＳから取得したコメントであるが、未来に放送される番組に関するコメントを表示するためのボタンである。「現在視聴中番組のコメント」選択ボタン１０１４は、ＳＮＳから取得したコメントであるが、現在視聴している番組に関するコメントを表示するためのボタンである。
【００２０】
また、ユーザが、視聴中の番組あるいは興味を持つ番組に対するコメントの入力を希望した場合に選択するための「コメントする」の選択ボタン１０３０が表示されている。この選択ボタン１０３０が選択されて決定された場合、画面には例えばコメント入力テンプレートが表示される。
【００２１】
ユーザは、携帯端末２０００を操作し、テンプレートの所望の欄に、カーソルを移動させて、番組名、チャンネル番号、短いコメントなどを入力することができる。このように入力されたコメントは、ネットワーク５０００を介して例えばサービスサーバ４０００に送信され、サービスサーバ４０００において所定のテーブル上に格納される。
【００２２】
言語選択ボタン１０１５は、日本語、英語、ドイツ語、フランス語、スペイン語、ロシア語などがあり、何れかのボタンが選択された場合、コメントの言語は選択された言語のものがサーバから取得される。サーバは番組に対応するコメントを格納する場合、言語分類して格納することがきる。
【００２３】
上記の電子機器１０００は、例えば、携帯端末２０００の特定のボタン、例えば「ＳＮＳ」ボタンが押されることにより、図１に示す画面のような画像状態となることができる。
【００２４】
このときは、基本的にはコメント１０２１−１０２４は、ＳＮＳから取得した例えば「全コメント」が表示されることが可能である。
【００２５】
さらに電子機器１０００の画面を参照し、動作を説明する。今、コメント１０２１は、例えば「“日本不思議発見”に“矢口”が出演している」と述べている。又このコメント１０２１上には、「チャンネル切替え」という選択ボタン１０３１が合成して表示されている。なお「日本不思議発見」は、番組名であり、「矢口」は人名である。また、必ずしも必要ではないが、コメント１０２１を入力した人のメールアドレス、番組の放送局アドレスなども表示されていてもよい。
【００２６】
ユーザがこのコメント１０２１を見て、番組を視聴したいと希望するならば、ユーザは、携帯端末２０００を操作し、カーソルを移動させて、選択ボタン１０３１を選択し、決定ボタンを押せばよい。この場合、電子機器１０００は自動的にチャンネルを切り替えて、コメント１０２１に対応する番組の再生に切替わる。つまり、「チャンネル切替え」と言う選択ボタン１０３１は、映像再生装置が裏番組である現在放送中の番組に切替わることができることを示している。
【００２７】
またユーザが別のコメント１０２２を見て、番組を視聴したいと希望するならば、ユーザは、携帯端末２０００を操作し、カーソルを移動させて、選択ボタン１０３２を選択し、決定ボタンを押せばよい。この場合の選択ボタン１０３１は、「番組再生」と記載されている。「番組再生」と言う選択ボタン１０３２は、映像再生装置１０００が記録再生装置に記録されている番組を自動的に選択して再生することができることを示している。
【００２８】
上記のコメント１０２２は、“kanazawa”が、歌手のグループ“ＳＵＮｓ４８”に対するコメントを入力していることを示している。コメントの内容は、例えば“ＳＵＮｓ４８年収を知っている？”と言うコメントであり、９月１４日の１３時０５分に入力している。宛先は例えば“Ｎｉｈｏｎ−ｔｖ”である。
【００２９】
今、ユーザが、携帯端末２０００を操作し、例えば選択ボタン１０３２を選択し、決定ボタンを押したとする。
【００３０】
図２には、ユーザが、携帯端末２０００を操作し、例えば選択ボタン１０３２を選択し、決定ボタンを押した際に、コメント１０２２及び１０２３に関する番組ＳＵＮｓ４８の再生が開始されたときの様子を示している。図２の例は、番組ＳＵＮｓ４８の再生が開始され、番組画像１０４０上にさきのコメント１０２２，１０２３に加えて、さらにこの番組に関する複数のコメント１０４１，１０４２が追加されて表示されている。なお選択ボタン１０３２が選択され、次に決定ボタンが押された後は、選択された番組の先頭から再生が行われるものとする。このときも、コメント１０２２，１０２３、コメント１０４１，１０４２は、ネットワーク５０００を介してサービスサーバ４０００から取得される。
【００３１】
図２は、例えば、図１の選択ボタン１０３２或いは１０３３が選択された後に、映像再生装置１０００が出力した番組画像１０４０の一例を示している。しかし、選択ボタン１０３２或いは１０３３が選択された後に、図１に示す画面領域の分割が維持されつつ、図２に示すコメント１０２２，１０２３，１０４１，１０４２が表示されてもよい。
【００３２】
図３は、コメント退避用の選択ボタン１０６０が表示された様子を示している。携帯端末の操作において、コメント退避用の選択ボタン１０６０が選択されて決定ボタンが押されると、右側に表示されたコメントが消され、画面全体に番組画像１０４０が表示される。このときはコメント退避用の選択ボタン１０６０が変化し、コメント復帰用の選択ボタンが表示される。携帯端末の操作において、もし、コメント復帰用の選択ボタンが表示されているとき、コメント復帰用の選択ボタンが選択され、決定ボタンが押された場合、図３の表示状態に戻る。なおコメントするための選択ボタン１０３０は、その表示が維持される。
【００３３】
図４は、電子機器１０００内の制御部において用いられるボタン種別判別テーブルの例を示している。先に説明したように、コメントに対しては、選択ボタンとして「ＣＨ切替え」、「番組再生」などのボタンが合成されて表示される。またボタンとしては「現在番組」というボタンも存在する。
【００３４】
コメント上に「現在番組」が表示されたときは、このコメントは、図１に示す左側に表示されている番組１００１が現在受信中であり、この番組に関するコメントであることを意味する。「現在番組」が表示されたときは、この選択ボタンを選択して、決定ボタンをおしても画面の変化はない。ユーザが、現在番組についてさらなるコメントを欲しい場合、ユーザは、携帯端末２０００を操作し、そして、例えば「現在視聴中番組のコメント」選択ボタン１０１４を選択して決定ボタンを押すことができる。すると、電子機器１０００は、例えば図２或いは図３に示すような番組表示状態に変化する。
【００３５】
コメント上に「ＣＨ切替え」が表示されたときは、このコメントは、裏番組に関するコメントであることを意味する。コメント上に「番組再生」が表示されたときは、このコメントは、記録コンテンツに含まれている番組に関するコメントであることを意味する。
【００３６】
図５は、電子機器１０００内の制御部において処理される各種ボタンに関するデータである。ボタンに関するデータとしては、ボタン識別データ（ボタンＩＤ）がある。ボタンＩＤには、ボタンの種類を示すデータが付随している。図の例であれば、ボタンＩＤ１０１はチャンネル用のボタンであり、管理データが”４ｃｈ”であることを示している。またボタンＩＤ１０４もチャンネル用のボタンであり、管理データが”６ｃｈ”であることを示している。
【００３７】
ボタンＩＤ１０２は、記録コンテンツに関するＩＤであり、管理データが例えば”１３０９１４２１００”である。さらにこのボタンＩＤ１０２には、コメント相対時間（例えば１５分３０秒）も関連付けられている。また、ボタンＩＤ１０３も、記録コンテンツに関するＩＤであり、管理データが例えば”１３０９１３２０００”である。さらにこのボタンＩＤ１０３には、コメント相対時間（例えば１分００秒）も関連付けられている。
【００３８】
ここで上記のコメント相対時間は、
（コメント相対時間）＝（コメントが投稿された時間）−（コンテンツが記録開始（或いは放送開始）された時間）で計算されている。つまり記録コンテンツである番組がスタートした時間と、この番組に対してコメントが投稿された時間との差が、コメント相対時間に想到する。
【００３９】
図の例では、１つの記録コンテンツに対して、１つのコメントが対応しているが、１つの記録コンテンツに対して複数のコメントが付随する場合もある。この複数のコメントは、投稿時間も異なる場合がある。
【００４０】
図６は、例えば携帯端末２０００の「ＳＮＳ」ボタンを操作した後、電子機器１０００がＳＮＳコメントを表示するときの動作を示すフローチャートである。コメント表示処理が開始されると（ステップＳＡ１）、まず図５で示したボタン情報テーブルの初期化が行われる（ステップＳＡ２）。
【００４１】
次に、図１に示す選択ボタン１０１１−１０１４に応じて、サービスサーバ４０００との通信が行われる。そして設定条件に応じたコメントがサービサーバ４０００にて検索され、電子機器１０００に送信される（ステップＳＡ３）。電子機器１０００では、取得したコメントの表示処理を実施する（ステップＳＡ４）。
【００４２】
電子機器１０００における設定条件について説明する。「全コメント」の選択ボタン１０１１が選択された場合は、ＳＮＳから全てのコメントが取得される。
【００４３】
「記録番組のコメント」選択ボタン１０１２が選択された場合は、ＳＮＳから記録再生装置に記録されている番組に関するコメントが取得される。したがって、映像再生装置１０００からは、記録番組のチャンネルや番組名情報がサービスサーバ４０００に送信される。サービスサーバ４０００は、映像再生装置１０００から送られて来た番組情報（番組名など）にしたがって、対応する番組に関するコメントを検索し、電子機器１０００に返信する。
【００４４】
「放送予定番組のコメント」選択ボタン１０１３が選択された場合は、ＳＮＳから未来に放送される番組に関するコメントが取得される。未来に放送される番組に関するコメントは、番組表や、前宣伝を見たユーザがサービスサーバ４０００にアップロードしたコメントである。
【００４５】
「現在視聴中番組のコメント」選択ボタン１０１４が選択された場合は、ＳＮＳから現在視聴している番組に関するコメントが取得される。
【００４６】
ただし、上記した各場合において、取得するコメントの数は、優先順位、地域、或いはユーザの設定などに応じて制限される機能が設けられてもよい。
【００４７】
今は、例えば「全コメント」選択ボタン１０１１が選択された場合の例について説明する。この設定条件に基づいて、サービスサーバ４０００で検索されたコメントが電子機器１０００に送られてくる。電子機器１０００において、取得されたコメントは一旦バッファに格納される。
【００４８】
電子機器１０００は、取得されたコメントをバッファから１つ取り出して、当該コメントからコメントに対応する放送局タグ（放送局名に想到する）及びコメントが投稿された時間を取り出す（ステップＡ４，Ａ５、Ａ６）。次に放送局タグとコメントが投稿された時間を利用し、コメントに対応するコンテンツ（記録番組、または受信中番組、裏番組）を特定する（ステップＳＡ７）。
【００４９】
なおコメントの投稿フォーマットを規格化しているコメント通信方式サービスでは、投稿用のテンプレートに、コメント、放送局名、番組名、投稿者を入力、あるいは自動入力する項目、及び投稿日時、投稿時間などが自動入力される項目が用意されている。
【００５０】
また、テンプレートとしては、放送局名や番組名、投稿者、場合によって手コメントまでも自動入力したものがあり、必要に応じて、手動変更や手動削除することが可能なものをある。
【００５１】
次に特定した番組と、前記投稿された時間を利用して、図４に示したボタン種別判断テーブルに基づいて、コメントに合成するための選択ボタンを決定する。
【００５２】
例えば裏番組に関するコメントであれば、コメント上に「ＣＨ切替え」ボタンが選択され、記録コンテンツに関するコメントであれば「番組再生」ボタンが選択される。また現在受信し表示中の番組に関するコメントであれば「現在番組」ボタンが選択される。このための処理がステップＳＡ８−ＳＡ１２で実行される。
【００５３】
上記した処理において、サービスサーバから取得した情報に基づいて、図５に示したボタン情報テーブルも作成される。
【００５４】
図７は、チャンネル切替えを意味する「ＣＨ切替え」ボタン、つまり図１の選択ボタン１０３１が選択されたときの映像再生装置の動作を示す。携帯端末２０００の操作により、選択ボタン１０３１が選択され、決定ボタンが押されると、ボタン情報テーブルの管理データからチャンネルデータ取得される。図５のボタン情報テーブルからは、４ｃｈまたは６ｃｈが選択される（ステップＳＢ１−ＳＢ２）。次に、選択されたチャンネルデータに基づいて、チャンネルが切替わり、表示画面が切替わり（ステップＳＢ３）、次にＳＮＳコメントが再表示され（ステップＳＢ４）。この場合は、図１のような全コメントが引き続き表示される。
【００５５】
図８は、記録番組の再生を意味する「番組再生」ボタン、つまり図１の選択ボタン１０３２又は１０３３又は１０３４が選択された場合の映像再生装置の動作を示している。「番組再生」ボタンが選択されると、ボタン情報テーブルから記録コンテンツＩＤとコメント相対時間（再生開始時間）が取得される（ステップＳＣ１，ＳＣ２）。
【００５６】
記録コンテンツＩＤから再生すべき番組を特定することができる。コメント相対時間は、再生すべき番組の再生開始位置を決めるために利用される。
【００５７】
コメント相対時間は、番組の先頭の時間からコメントが投稿された時間までの差を表している。したがって、ユーザがコメントを投稿する作業に例えば３０秒必要ならば、コメントにふさわしい内容は、コメント相対時間（再生開始時間）の３０秒前に存在することである。したがって、記録番組を再生開始するときは、前記再生開始時間よりも３０秒逆戻った位置から記録番組の再生が開始される。つまり、再生開始時間が１５分３０秒であったとすると、記録番組の再生は、１５分００秒の位置から再生が開始される（ステップＳＣ３）。記録番組の再生が開始すると、当該番組に対するＳＮＳコメントが表示される（ステップＳＣ４）。即ち、図２或いは図３に示したようなコメント表示状態となる。
【００５８】
図９は、電子機器１０００の具体的構成例を示す。電子機器１０００は、デジタルチューナ装置１０２を有する。デジタルチューナ装置１０２は、例えばスクランブルされたデジタル地上波放送信号を受信する複数のチューナを含む。複数のチューナは、例えば６個であり、それぞれが異なるチャンネルの放送信号を受信することができる。デジタルチューナ装置１０２は例えばＢＳ／ＣＳデジタル放送受信用のチューナ（図示せず）が含んでも良い。
【００５９】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。
【００６０】
多重ＴＳは、記録再生装置１１１に入力される。またＴＳ処理部１２２に入力したＴＳの中で、制御情報を含むパケット（制御パケット、或いはサービス情報パケットと称される場合もある）は、制御部２００に入力されて処理される。また、ＴＳの中には、電子番組案内（ＥＰＧ）データを含むパケットも含まれている。ＥＰＧデータが利用され、番組表が構成されることができる。
【００６１】
記録再生装置１１１は、例えば、ハードディスクドライブ、光ディスク記録再生装置を含む。光ディスクにはデジタルバーサタイルディスク（ＤＶＤ（登録商標）），ブルーレイディスク（ＢＤ（登録商標））などが含まれる。
【００６２】
記録再生装置１１１のハードディスクには、例えば複数チャンネルで放送される全番組を１週間乃至２週間分保存（自動記録）することができる。ハードディスクドライブの増設により、１乃至４ヶ月分の全番組が自動記録されるようにしてもよい。記録番組のうち特別指定された番組以外は、古いものから自動削除される。
【００６３】
特別指定された番組は、例えば３日分の番組を格納できる程度の容量の領域に格納される。特別指定された番組は、例えばＳＮＳコメントに関する番組である。或いは、特別指定された番組は、ユーザが永久保存番組として指定した番組である場合もある。
【００６４】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）データを含む。ＥＰＧデータが利用され、番組表が構成されることができる。
【００６５】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。
【００６６】
ＴＳ処理部１２２はパケット分離部を含み、番組の映像パケットと、オーディオパケットを分離し、その他の制御データや、ＥＰＧデータを含むパケットを分離して出力する。
【００６７】
ＴＳ処理部１２２で分離されたオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００６８】
ＴＳ処理部１２２で分離された映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。
【００６９】
映像出力部１３３は、制御部２００からのデータ、図形、番組表などをメイン映像信号に多重することができる。また映像出力部１３３は、出力映像信号に対して表示器１３４に応じたスケール、解像度、ライン数、アスペクト比などを設定して、表示器１３４に向けて出力する。
【００７０】
なお、有料番組のオーディオパケット、映像パケットが暗号化されている場合もある。この場合、鍵情報を用いて暗号化を解くための処理系統もあるがここでは省略している。
【００７１】
制御部２００は、中央演算処理ユニット（ＣＰＵ）２０１、ＥＰＧデータ処理部２０２、通信制御部２０３、操作デバイス管理部２０４、コマンド解析部２０５などを含む。
【００７２】
ＣＰＵ２０１は、制御部２００の全体の動作シーケンスの調整を行っている。
【００７３】
ＥＰＧデータ処理部２０２は、受信したＥＰＧデータを用いて、表示用の番組表を生成することができる。またＥＰＧデータに含まれる各種のデータを番組に関連付けて保存することができる。
【００７４】
通信制御部２０３は、外部との通信を行い、操作コマンド、データ、コンテンツ、などを取り込むことができる。取り込まれたコンテンツ、及びデータは、例えば記録再生装置１１１、或いは不揮発性メモリ（記憶部、記憶装置と称しても良い）２４０に格納されることができる。通信制御部２０３は、電子機器１００から外部に向けて、データ、コンテンツ、などを送信することができる。
【００７５】
通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の携帯端末５００、５０１との間でデータの送受信を行うことができ、近距離通信用である。また、電子機器１００は、リモートコントローラ１１５からの操作信号を、受信部１１４を介して受け取ることもできる。
【００７６】
操作デバイス管理部２０４は、制御部２００に対して操作信号を与える携帯端末５００，５０１、リモートコントローラ１１５などのデバイス識別データを把握し、管理することができる。
【００７７】
コマンド解析部２０５は、外部から入力する操作コマンドを解析し、コマンドに応じた動作を電子機器１００に反映させることができる。
【００７８】
表示制御部２３４は、映像出力部１３３を介して表示器１３４に表示される映像信号を全般的に制御することができる。また表示制御部２３４は、ＯＳＤ（On screen display）コントローラと称されることもできる。表示制御部２３４は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。
【００７９】
表示制御部２３４は、後述するコメント処理部２４１、ボタン合成部２４２、ボタン種別判別部２４３、ボタン情報処理部２４４、再生位置制御部２４５などを含んでも良い。図では、表示制御部２３４の動作及び機能を分かり易くするために、コメント処理部２４１、ボタン合成部２４２、ボタン種別判別部２４３、ボタン情報処理部２４４、再生位置制御部２４５などを別ブロックとして示している。
【００８０】
携帯端末２００２は、電子機器１００をリモートコントロールすることもできる。
【００８１】
携帯端末２００２は、図示しない基地局、インターネットなどを介してサーバをアクセスすることができる。サーバが提供するコンテンツは勿論のこと、各種のアプリケーション、ゲームソフトなどをダウンロードし、無線通信送受信部１１３を介して、制御部２００に転送することが可能である。また携帯端末２００２は、コンテンツを取得するための情報（例えばウェブサーバーのアドレス、メールアドレス、ネットワークアドレスなど）を、無線通信送受信部１１３を介して、制御部２００に転送することが可能である。
【００８２】
ウェブサーバーのアドレス、メールアドレスなど、さらには動画、静止画、写真画像などをここでは「お勧め情報」あるいは「興味情報」と称してもよい。
【００８３】
表示用のメニュー映像信号、番組表映像信号などは、例えばデータベースファイル２４５に格納及びまたは管理されている。メニューの表示、番組表の表示が行われるときは、メニュー画面データ、番組表映像信号が、表示制御部２３４の制御に基づき、データ格納部（メモリ或いはハードディスク）から読み出される。これにより、メニュー画像や番組表画像が表示器１３４に表示される。
【００８４】
表示用のメニュー映像信号、番組表映像信号などは、携帯端末２００２に送信されることもできる。携帯端末２００２がメニュー映像信号、番組表映像信号など要求した場合、制御部２００は、メニュー映像信号、番組表映像信号を送信することができる。後で説明するキーワードリスト、シーンリストなどが携帯端末２００２に転送されてもよい。
【００８５】
携帯端末２００２は、メニュー映像信号、番組表映像信号をタッチ式パネルの画面に表示することができ、ユーザは、タッチ（或いはポイント）式パネルの画面に表示された操作ボタンに触れることにより、電子機器に動作指令信号を与えることができる。
【００８６】
制御部２００は、さらに、コメント処理部２４１、ボタン合成部２４２、ボタン種判別部２４３、ボタン情報処理部２４４、再生位置制御部２４５などを含む。また制御部２００は、記憶容量制御部２４６を含む。
【００８７】
通信制御部２０３は、操作入力に基づいて、それぞれの内容が番組に関連しておりネットワーク上のサーバに投稿されている複数のコメントを取得することができる。コメント処理部２４１は、取得した前記複数のコメントを図１乃至図３に示すように表示するために配列することができる。ボタン合成部２４２は、前記配列された各コメントに対して、表示用の選択ボタンを合成することができる。ここで選択ボタンは当該コメントに対応する番組の再生に移行するためのボタンである。
【００８８】
再生位置制御部２４５は、前記選択ボタンの選択により、装置が対応する番組の再生に移行する場合、前記番組の再生位置を、前記コメントの投稿時間に関連した時間に基づいて決定することができる。
【００８９】
例えば具体的な一例は、前記再生位置制御部は、前記番組に対する前記コメントの投稿時間に対して、前記番組の再生位置を前記投稿時間よりも先行した時間に設定することができる。
【００９０】
ボタン種別判断部２４３は、図４で説明したテーブルを利用して、ＳＮＳコメントからコメントに合成すべき選択ボタンを決定することができる。ボタン情報処理部２４４は、図５及び図６で説明したように、ボタン情報テーブルを構築することができる。
【００９１】
記憶容量制御部２４６は、記録再生装置１１１において記録される番組の記憶容量を制御することができる。記録再生装置１１１において記録される番組は、例えば２週間分が記憶され格納される。２週間記憶された番組は、古いものから順次削除される。しかし、記憶容量制御部２４６は、２週間分の番組の記憶容量のメイン容量（或いはメイン領域）と、プラスアルファ分の番組の記憶容量のサブ容量（或いはサブ領域）を確保することができる。サブ領域は、２週間経過した複数の番組が記憶保存される領域であり、この複数の番組は特にＳＮＳコメントにより話題になっている番組である。番組数と保存日数は、例えば１０個の番組で２週間プラス１週間である。またこのサブ領域に格納される番組は、電子機器１０００を使用するオーナー自身がコメントを投稿した番組であってもよい。この番組を再生しているときに、他のユーザが投稿したコメントを一覧表示させることができる。これにより、オーナー自身と他のユーザとのコメントの比較が可能となる。
【００９２】
なお上記した２週間はこれに限定されるものではなく、１週間、或いは３週間でもよく、また１０個の番組は、これに限定されるものではなく、２０個或いは３０個でも良い。または１週間分の番組を格納し、プラスアルファとして１日分の番組を格納する余裕をもたせてもよい。そして１日分の番組を格納する第２の領域には、ＳＮＳコメントが付加されている番組を格納する。
【００９３】
さらには、例えば１０個の番組を選択する場合、ジャンル或いはユーザの嗜好性データに基づいて優先順位を付けられるようにしてもよい。例えばスポーツ番組であって、野球、且つヤンキースとジャイアンツの試合の番組は、近日に近い番組から優先順位をつけて、１０個残すというように設定してもよい。或いは、ユーザ自身がコメントを投稿した番組に関しては第２の領域に例えば上限１０個の番組を格納して残すという方法でもよい。
【００９４】
上記した制御部２００内の各ブロックは、ソフトウエアによる命令で実現されてもよいことは勿論である。またこの命令が格納されたコンピュータ読み取り可能な記録媒体が用いられ、前記命令が記録媒体から読み出され実行されることにより、上記した動作が実現されてもよい。
【００９５】
上記した説明において、用語の「部」は、「装置」、「器」、「ブロック」及び「モジュール」に置き換えても本発明の範疇であることは勿論である。また「ボタン」は、「キー」、「操作子」などと称されても良い。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００９６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【００９７】
１０００・・・電子機器、１０２１−１０２４・・・コメント、１０３１−１０３４・・・選択ボタン、２０００・・・携帯端末、４０００・・・サービスサーバ、５０００・・・ネットワーク、２０３・・・通信制御部、２４１・・・コメント処理部、２４２・・・ボタン合成部、２４３・・・ボタン種別判断部、２４４・・・ボタン情報処理部、２４５・・・再生位置制御部、２４６・・・記憶容量制御部
【図１】
2015115802.tif 000003
【図２】
2015115802.tif 000004
【図３】
2015115802.tif 000005
【図４】
2015115802.tif 000006
【図５】
2015115802.tif 000007
【図６】
2015115802.tif 000008
【図７】
2015115802.tif 000009
【図８】
2015115802.tif 000010
【図９】
2015115802.tif 000011